(57)【特許請求の範囲】
【請求項１】
入力されるデジタル信号に重畳された同期信号を取得して第１の同期信号を出力する受信部と、
前記デジタル信号に基づく画像データを出力する画像生成部と、
前記第１の同期信号に同期して前記画像データを出力するように前記画像生成部を制御する制御部と、
設定情報に基づきイコライザー設定を行う調整部と、
前記設定情報の変更を支援するための設定画像の表示指示が入力される情報入力部と、
を有し、
前記画像生成部は、前記第１の同期信号とは異なる第２の同期信号を生成し、
前記制御部は、前記表示指示が入力されると、前記設定画像を、前記デジタル信号に基づき前記第２の同期信号に同期して出力される前記画像データの一部に重畳して出力するよう前記画像生成部を制御する
ことを特徴とする画像表示装置。
【請求項２】
前記制御部は、前記設定情報が変更されると、前記第１の同期信号に同期して前記画像データを出力するように前記画像生成部を制御することを特徴とする請求項１に記載の画像表示装置。
【請求項３】
前記制御部は、前記設定情報に基づき、前記デジタル信号に対する等化処理の設定値を変更することを特徴とする請求項１または２に記載の画像表示装置。
【請求項４】
前記受信部は、ＨＤＭＩ（登録商標）規格のデジタル信号を受信するように構成され、
前記制御部は、前記設定情報の変更が確定すると、ホットプラグ検出信号の出力を停止した後、前記ホットプラグ検出信号の出力を再開することを特徴とする請求項１ないし３のいずれか一項に記載の画像表示装置。
【請求項５】
入力されるデジタル信号に重畳された同期信号を取得して第１の同期信号を出力するステップと、
前記デジタル信号に基づく画像データを前記第１の同期信号に同期して出力するステップと、
設定情報に基づきイコライザー設定を行うステップと、
前記設定情報の変更を支援するための設定画像の表示指示の入力を受け付けるステップと、
前記第１の同期信号とは異なる第２の同期信号を生成するステップと、
前記表示指示が入力されると、前記設定画像を、前記デジタル信号に基づき前記第２の同期信号に同期して出力される前記画像データの一部に重畳して出力するステップと、
を有することを特徴とする画像表示方法。
【発明の詳細な説明】
【技術分野】
【０００１】
本発明は、画像表示装置および画像表示方法に関する。
【背景技術】
【０００２】
ＤＶＤプレーヤー等の外部装置と、プロジェクター等の画像表示装置とがＨＤＭＩ（登録商標）ケーブル等のデジタル信号ケーブルを介して接続された状態において、様々な要因によって、画像が全く表示されない、画像のちらつき、画像の一部にノイズが生じる等の不具合が発生する。
例えば、画像表示装置が表示側の受信性能に適合した画像信号を選択していない、画像表示装置におけるコピープロテクト機能の誤動作、外部装置からの画像信号の品質劣化、ＨＤＭＩケーブルの品質劣化、画像表示装置の受信回路が十分な性能を有していない等の要因によって不具合が発生する。
例えば、特開２００７−１４０１８０号公報（特許文献１）では、種別を判定できない画像信号が入力された場合に、ユーザーの要求によらないでユーザー設定画像を表示し、ユーザーに入力画像信号の解像度等を設定させ、ユーザー設定情報に応じて設定データを更新して当該設定データを用いて画像信号に基づく画像を表示するプロジェクターが記載されている。
【先行技術文献】
【特許文献】
【０００３】
【特許文献１】特開２００７−１４０１８０号公報
【発明の概要】
【発明が解決しようとする課題】
【０００４】
しかし、ユーザーの要求によらないでユーザー設定画像を表示する手法の場合、画像表示装置は、画像信号の種別を適切に判定できていても、信号種別の判定に使用する計測部の対象外の要素、例えば、画像信号等が正常に受信できない場合、画像の一部にノイズが発生する等の事態が発生することにより、適切な画像を表示できないことがある。
また、入力画像信号に基づく画像とユーザー設定画像を重ねて表示する手法の場合、適切な調整が行われていない状態では、入力画像信号が不安定な状態で正常受信できたり、できなかったり、受信はできても同期信号の周波数が不安定な状態等になるため、画像表示装置は、ユーザー設定画像すら正常に表示できず、ユーザーがユーザー設定画像において調整を行えないといった事態が発生することがある。
【０００５】
本発明にかかるいくつかの態様は、上記課題を解決することにより、デジタル信号ケーブルを介して入力されるデジタル信号に対する調整を適切に行うことが可能な画像表示装置および画像表示方法を提供するものである。
【課題を解決するための手段】
【０００６】
本発明は、上述の課題の少なくとも一部を解決するためになされたものであり、以下の形態または適用例として実現することが可能である。
【０００７】
［適用例１］本適用例にかかる画像表示装置は、入力されるデジタル信号に重畳された同期信号を取得して第１の同期信号を出力する受信部と、前記デジタル信号に基づく画像データを出力する画像生成部と、前記第１の同期信号に同期して前記画像データを出力するように前記画像生成部を制御する制御部と、設定情報に基づき前記デジタル信号に関する調整を行う調整部と、前記設定情報の変更を支援するための設定画像の表示指示が入力される情報入力部と、を有し、前記画像生成部は、前記第１の同期信号とは異なる第２の同期信号を生成し、前記制御部は、前記表示指示が入力されると、前記設定画像を、前記デジタル信号に基づき前記第２の同期信号に同期して出力される画像データに重畳して出力するよう前記画像生成部を制御することを特徴とする。
【０００８】
本適用例によれば、画像表示装置は、情報入力部に表示指示が入力されると、デジタル信号の調整に関する設定情報の変更を支援する設定画像を、適切な同期信号に同期して表示することにより、デジタル信号の信号劣化やノイズ等の波形品質に関係なく、ユーザーに設定情報を入力させることができるため、デジタル信号ケーブルを介して入力されるデジタル信号に対する調整を適切に行うことができる。
【０００９】
［適用例２］上記適用例にかかる画像表示装置において、前記制御部は、前記設定情報が変更されると、前記第１の同期信号に同期して前記画像データを出力するように前記画像生成部を制御することを特徴とする。
【００１０】
本適用例によれば、画像表示装置は、デジタル信号に基づく画像データに対して変更された設定情報に基づく調整を施し、第１の同期信号に同期して調整された画像データを出力するので、画像表示装置のユーザーは、設定情報の変更内容が適切であるか否かを容易に確認することができる。
【００１１】
［適用例３］上記適用例にかかる画像表示装置において、前記制御部は、前記設定情報に基づき、前記デジタル信号に対する等価処理の設定値を変更することを特徴とする。
【００１２】
本適用例によれば、画像表示装置のユーザーは、表示される調整画像を見ながら、デジタル信号に対する等価処理、いわゆるイコライジング処理の設定値を、容易に変更することができる。
【００１３】
［適用例４］上記適用例にかかる画像表示装置において、前記受信部は、ＨＤＭＩ規格のデジタル信号を受信するように構成され、前記制御部は、前記設定情報の変更が確定すると、ホットプラグ検出信号の出力を停止した後、前記ホットプラグ検出信号の出力を再開することを特徴とする。
【００１４】
本適用例によれば、設定情報の変更後、ホットプラグ検出信号の出力を停止することにより、ＨＤＭＩ形式の画像出力機器と画像表示装置との接続を仮想的に切断した状態にしてからホットプラグ検出信号の出力を再開するので、信号が不安定な状態で取得に失敗していたパケットデータがあったとしても、設定情報の変更後に再取得することができる。
【００１５】
［適用例５］本適用例にかかる画像表示方法は、入力されるデジタル信号に重畳された同期信号を取得して第１の同期信号を出力するステップと、前記デジタル信号に基づく画像データを前記第１の同期信号に同期して出力するステップと、設定情報に基づき前記デジタル信号に関する調整を行うステップと、前記設定情報の変更を支援するための設定画像の表示指示の入力を受け付けるステップと、前記第１の同期信号とは異なる第２の同期信号を生成するステップと、前記表示指示が入力されると、前記設定画像を、前記デジタル信号に基づき前記第２の同期信号に同期して出力される画像データに重畳して出力するステップと、を有することを特徴とする。
【００１６】
本適用例によれば、画像表示方法は、デジタル信号の調整に関する設定情報に基づいて、デジタル信号に対する調整を行う間も、適切な同期信号が出力されるので、設定情報の入力を支援する設定画像を確実に表示することのできる画像表示方法を提供することができる。
【図面の簡単な説明】
【００１７】
【図１】（ａ）は、第１実施例における通常状態でのプロジェクターの投写状況を示す図である。（ｂ）は、天吊り状態でのプロジェクターの投写状況を示す図である。
【図２】（ａ）は、第１実施例におけるプロジェクターの斜視図である。（ｂ）は、プロジェクターの背面図である。
【図３】（ａ）は、第１実施例におけるプロジェクターの機能ブロック図である。（ｂ）は、画像生成部１４０の機能ブロック図である。
【図４】第１実施例におけるプロジェクターのハードウェアブロック図である。
【図５】第１実施例における画像表示手順を示すフローチャートである。
【図６】第１実施例における設定画像の一例を示す図である。
【図７】（ａ）は、第１実施例における設定画像の一例として、不適な設定が選択された場合を示す図である。（ｂ）は、設定画像の他の一例として、最適な設定が選択された場合を示す図である。
【図８】第１実施例における設定画像の他の一例として、設定が確定し、調整された画像信号に基づき、画像が投写された状態を示す図である。
【発明を実施するための形態】
【００１８】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１９】
（第１実施例）
図１（ａ）は、第１実施例における通常状態でのプロジェクター１００の投写状況を示す図である。また、図１（ｂ）は、第１実施例における天吊り状態でのプロジェクター１００の投写状況を示す図である。また、図２（ａ）は、第１実施例におけるプロジェクター１００の斜視図であり、図２（ｂ）は、第１実施例におけるプロジェクター１００の背面図である。
画像表示装置としてのプロジェクター１００は、例えば、図２（ｂ）に示すように背面にＨＤＭＩ端子９１０、９１１、音声入力端子９１３、９１４、Ｓ−ビデオ入力端子９１５、ビデオ入力端子９１６、ミニＤ−Ｓｕｂ１５ｐｉｎ端子９１７等が設けられている。
【００２０】
例えば、図１（ａ）に示すように、プロジェクター（画像表示装置）１００は、床やテーブル等に置かれた状態で、ＨＤＭＩ端子９１０に接続されたＨＤＭＩケーブル（デジタル信号ケーブル）３００を介してＤＶＤプレーヤー（外部装置）２００と接続され、ＤＶＤプレーヤー２００からの画像信号（デジタル信号。例えば、ＲＧＢ信号、輝度色差信号、同期信号等）に基づき、スクリーン１０に画像２０を投写する。
また、図１（ｂ）に示すような、プロジェクター１００が天井に金具３０で固定される天吊り状態では、通常状態と比べてＨＤＭＩケーブル３０１の長さが長くなる。
また、ＨＤＭＩケーブル３００、３０１の品質や適応バージョンには様々なものがある。
【００２１】
本実施例のプロジェクター１００は、ＨＤＭＩケーブル３００、３０１の長さや品質等の影響により、プロジェクター１００に入力される画像信号の波形品質が劣化している場合は、後述する設定画像４００（図６参照）の表示時に画像生成部のフレームロックを解除し、信号入力部からの同期信号とは独立した制御部の同期信号へ切り替えて画像生成部を制御することで、設定画像４００を表示する機能を有している。
【００２２】
プロジェクター１００の機能ブロックについて説明する。図３（ａ）は、第１実施例におけるプロジェクター１００の機能ブロック図である。
プロジェクター１００は、ＨＤＭＩケーブル３００、３０１（図１参照）を介してデジタル形式の画像信号（同期信号）が入力される受信部としてのデジタル信号入力部１１０と、当該画像信号に対する調整を行う調整部１３０と、調整された画像信号に基づく画像等を生成する画像生成部１４０と、当該画像等を投写する投写部（表示部）１９０と、投写部１９０等に電力を供給する電源部１８０とを含んで構成されている。
【００２３】
また、プロジェクター１００は、ユーザーによる操作情報等が入力される情報入力部１６０と、調整部１３０等を制御する制御部１７０と、ホットプラグ検出信号をＤＶＤプレーヤー２００（図１参照）に出力する検出部１５０と、記憶部１２０とを含んで構成されている。
【００２４】
また、記憶部１２０は、設定画像等を生成するための画像データ１２２、調整部１３０の設定値を示す設定データ１２４、１２５、ユーザーの設定を示すユーザー設定データ１２６等を記憶している。なお、デジタル信号入力部１１０、調整部１３０、検出部１５０、情報入力部１６０、制御部１７０は、設定情報の変更が確定した後にホットプラグ検出信号の出力を停止する制御を行う制御装置１０６としても機能する。
【００２５】
図４は、第１実施例におけるプロジェクター１００のハードウェアブロック図であり、各部の接続状態を模式的に表している。例えば、デジタル信号入力部１１０は、ＨＤＭＩ端子９１０、９１１、セレクター９１２等を用いて実装されてもよい。
また、記憶部１２０はＲＡＭ９２０、フラッシュＲＯＭ９２２等で、調整部１３０は、イコライザー回路９３２、サンプリング回路９３４、デコーダー回路９３６等を含む受信回路９３０等でそれぞれ実装されてもよい。
また、画像生成部１４０は画像処理回路９４０等、検出部１５０、制御部１７０はＣＰＵ９７０等、情報入力部１６０はリモートコントローラー（リモコン）からの赤外線信号を受信する受信ユニット９６０、操作ボタン等によって構成される操作パネル９６２等で、それぞれ実装されてもよい。
操作パネル９６２およびリモコンは、後述する設定画像における各種設定項目の調整や選択を行うために必要な上下左右の方向に対応する矢印キー、決定キー等を備えている。
【００２６】
さらに、電源部１８０は電源９８０等、投写部１９０はランプ駆動回路９９０、ランプ９９１、照明光学系９９２、液晶駆動回路９９３、液晶ライトバルブ９９４、投写レンズ９９５等を用いてそれぞれ実装されてもよい。ランプ駆動回路９９０は電源９８０からの電力を、ランプ９９１を点灯させるのに必要な駆動電力に変換して出力する。
【００２７】
なお、図４では、説明を簡単にするため、電源９８０から各部に電力を供給する電力ラインを省略している。また、図４には２つのＨＤＭＩ端子９１０、９１１のみが記載されているが、実際には、プロジェクター１００は、Ｓ−ビデオ入力端子９１５等の他の端子も有している。また、ＨＤＭＩ端子９１０、９１１は１つであってもよい。
【００２８】
次に、本実施例における画像表示手順について説明する。図５は、第１実施例における画像表示手順を示すフローチャートである。
画像生成部１４０は、調整部１３０によって調整された画像信号に基づき、画像２０を生成し、投写部１９０は、画像２０を投写する（ステップＳ１）。
ユーザーは、例えば、投写された画像２０の一部にノイズが生じていると判断した場合、プロジェクター１００の操作パネル９６２またはリモコン（図示せず）を操作して設定画像の表示要求を行う。
制御部１７０は、情報入力部１６０からの情報（ユーザーによる表示要求情報）に基づき、設定画像の表示要求があったかどうかを判定する（ステップＳ２）。設定画像の表示要求がなかった場合（ステップＳ２：ＮＯ）は正常に表示されていることになるため、プロジェクター１００は、初期制御用の処理を終了し、通常の画像処理をする。設定画像の表示要求があった場合（ステップＳ２：ＹＥＳ）は、画像データ１２２に基づく設定画像を生成させ、投写部１９０は、当該設定画像を投写する（ステップＳ３）。
【００２９】
図６および図７は、第１実施例における設定画像４００、４０１の一例を示す図である。設定画像４００、４０１は、ユーザーによる設定情報の入力を受け付ける画像である。
図６に示す設定画像４００は、「画質」、「映像」、「設定」、「メモリー」、「ネットワーク」、「情報」、「初期化」のメニューで構成されるトップメニュー画像４１０と、「設定」で「入力信号」が選択された場合に表示される入力信号に関するサブメニュー画像４２０と、操作パネル９６２またはリモコンのキー操作と当該キー操作に対する応答内容を示す操作ガイド画像４３０とを含む。
また、図７に示す設定画像４０１は、図３に示す設定データ１２４、１２５の選択を受け付ける選択画像である。設定画像４０１は、設定画像４００のサブメニュー画像４２０で「ＨＤＭＩ１ ＥＱ 設定」または「ＨＤＭＩ２ ＥＱ 設定」が選択された場合に表示される画像であり、イコライザー設定画面４４０と、操作ガイド画像４３０を含む。
【００３０】
なお、「ＨＤＭＩ１ ＥＱ 設定 １」はＨＤＭＩ端子９１０からの入力信号に対するイコライザー設定（デジタル信号に関する調整）として設定データ１２４に対応する設定１が選択されていることを示し、「ＨＤＭＩ２ ＥＱ 設定 １」はＨＤＭＩ端子９１１からの入力信号に対するイコライザー設定として設定データ１２４に対応する設定１が選択されていることを示す。
例えば、ユーザーは、図７に示す設定画像４０１が表示された状態で、操作パネル９６２またはリモコンの下向き矢印キーを押して設定２を選択し、操作パネル９６２またはリモコンのメニューキーを押して終了することにより、ＨＤＭＩ端子９１０に対するイコライザー設定を設定２に変更することができる。なお、設定画像４００、４０１はＯＳＤ（On Screen Display）画像であり、設定画像４００は画像２１のＯＳＤ画面として表示され、設定画像４０１は画像２２のＯＳＤ画像として表示される。
【００３１】
図５において、設定画像からの画像情報に基づきイコライザー（ＥＱ）設定の変更があったかどうかを判定する（ステップＳ４）。イコライザー（ＥＱ）設定の変更がなかった場合（ステップＳ４：ＮＯ）は正常に表示されていることになるため、プロジェクター１００は、初期制御用の処理を終了し、通常の画像処理をする。
【００３２】
デジタル信号入力部１１０で入力信号の計測はできるが、ＨＤＭＩロングケーブルや粗悪なケーブルの接続により信号が劣化し、図７（ａ）に示すように一時的な映像の乱れ（輝点ノイズ、画面ズレ、砂嵐）を生じた場合、ユーザーは操作パネル９６２またはリモコンの操作により、イコライザー設定の変更を支援する設定画像４０１を表示させるための表示指示を入力する。
図５において、イコライザー（ＥＱ）設定の変更があった場合（ステップＳ４：ＹＥＳ）は、制御部１７０は表示指示の入力を検出すると、設定画像４０１を出力するよう、画像生成部１４０を制御する。
【００３３】
ステップＳ４の処理によって設定画像４０１が表示された状態で、制御部１７０は、受信部からの第１の同期信号を、これとは異なる第２の同期信号へ切り替える（ステップＳ５）。
この状態で、ユーザーが任意の設定を選択し、設定の変更があった場合は、制御部１７０はユーザー設定データ１２６を更新し、調整部１３０に反映させる（ステップＳ６）。なお、この設定データは、例えば、イコライザー回路９３２におけるゲイン値等である。
投写部１９０は、図７（ｂ）に示すように、ユーザー設定データ１２６の更新後の画像２２を投写し、設定画像４０１を重畳して投写する（ステップＳ７）。
【００３４】
設定画像４０１が表示された状態で、制御部１７０は、情報入力部１６０からの情報に基づき、イコライザー設定の変更が確定されたかを判定する（ステップＳ８）。イコライザー設定の確定があった場合（ステップＳ８：ＹＥＳ）、制御部１７０は、第２の同期信号から、再び受信部からの第１の同期信号へ切り替え、設定画像４０１の重畳を解除する（ステップＳ９）。
イコライザー設定の確定がなかった場合（ステップＳ８：ＮＯ）、ステップＳ６に戻りステップを繰り返す。
【００３５】
ところで、ステップＳ２でＹＥＳが選択され設定画像４０１が適切に表示されている場合は問題ないが、ステップＳ３によっても設定画像４０１が表示されないことも想定される。このような場合、ユーザーにより操作パネル９６２またはリモコンが操作されると、ステップＳ５と同様に、受信部からの第１の同期信号を第２の同期信号へ切り替える。
【００３６】
ユーザー設定データ１２６の更新後、制御部１７０は、検出部１５０を制御してホットプラグ検出信号の出力を停止させる（ステップＳ１０）。なお、ホットプラグ検出信号は、ＨＤＭＩ規格における信号であり、ＤＶＤプレーヤー２００からの電源信号に応じてプロジェクター１００が出力する信号である。
制御部１７０は、ユーザー設定データ１２６で示される設定に応じて設定データ１２４または設定データ１２５を参照して調整部１３０に当該データを反映し、デジタル信号入力部１１０からの入力画像信号を調整させる（ステップＳ１１）。
【００３７】
当該設定データの反映が終了後、制御部１７０は、検出部１５０を制御してホットプラグ検出信号の出力を再開させる（ステップＳ１２）。その後ステップＳ１へ戻る。
これにより、プロジェクター１００は、図８に示すように、ＤＶＤプレーヤー２００等の外部装置からの画像信号の再出力を促し、調整部１３０に新しく反映された設定データ１２４または設定データ１２５に基づき入力画像信号を調整させ、画像２０を再生成し、投写する。この入力画像信号の調整により、例えば、調整時の不安定な状態でのＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）誤認識を回避することができ、またイコライザー調整前に取得できなかったパケットデータ等も再取得できる。
【００３８】
以上のように、本実施例によれば、プロジェクター１００は、イコライザー設定の変更要求があった場合、入力されるデジタル信号から取得した同期信号（第１の同期信号）から、一時的に異なる第２の同期信号に切り替えることで、ユーザーは設定変更の結果を見ながら最適な設定を選択することができる。
【００３９】
また、本実施例によれば、プロジェクター１００は、ユーザーの要求に応じて設定画像４００、４０１を表示することができるため、プロジェクター１００自身が適切な表示が行われているか判断できない場合であっても、ユーザーにとって適切な画像を表示することができる。
【００４０】
また、本実施例によれば、プロジェクター１００は、設定を選択させる設定画像４０１を表示して選択させることにより、ユーザーに設定値を誤って設定させることなく、デジタル信号に対する調整を行うことができる。また、本実施例によれば、プロジェクター１００は、イコライザー調整を行うことにより、デジタル信号に対する調整を適切に行うことができる。
【００４１】
また、本実施例によれば、プロジェクター１００は、様々な長さのＨＤＭＩケーブル３００、３０１が接続される状況であっても、長さや品質に適した調整を行って画像２０を表示することができる。また、本実施例によれば、プロジェクター１００は、ＨＤＭＩ端子９１０、９１１や受信回路９３０の特性に応じた調整を行うことができる。
【００４２】
（その他の実施例）
なお、本発明の適用は上述した実施例に限定されず、変形が可能である。例えば、デジタル信号ケーブルは、ＨＤＭＩケーブル３００、３０１に限定されず、ＤＶＩ（Digital Visual Interface）ケーブル等であってもよい。
また、デジタル信号は、画像信号に限定されず、音声信号であってもよいし、画像信号と音声信号を含む信号であってもよい。また、設定画像４００、４０１で設定させる項目は、イコライザー回路９３２の設定に限定されず、受信回路９３０のイコライザー回路９３２以外のパラメーター値等であってもよい。また、ユーザーによる当該パラメーター値等の入力を受け付ける設定画像が採用されてもよい。
【００４３】
また、画像表示装置はプロジェクター１００に限定されず、例えば、テレビ、液晶モニター等であってもよい。また、制御装置１０６が実装される装置は画像表示装置に限定されず、例えば、ハードディスクレコーダー、セットトップボックス、ＡＶアンプ等であってもよい。また、外部装置は、ＤＶＤプレーヤー２００に限定されず、例えば、ハードディスクレコーダー、セットトップボックス、ＰＣ（Personal Computer）、ゲーム装置等であってもよい。
【００４４】
また、プロジェクター１００の有するコンピューターは、情報記憶媒体に記憶されたプログラムを読み取って制御部１７０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００４５】
また、プロジェクター１００は、液晶プロジェクター（透過型、ＬＣＯＳ等の反射型）に限定されず、例えば、デジタルマイクロミラーデバイスを用いたプロジェクター等であってもよい。また、投写部１９０は、ランプ９９１の代わりに有機ＥＬ素子、シリコン発光素子、レーザーダイオード、ＬＥＤ等の固体光源を含む自己発光素子を採用してもよい。また、プロジェクター１００の機能を複数の装置（例えば、ＰＣとプロジェクター等）に分散してもよい。
【符号の説明】
【００４６】
１０…スクリーン、２０、２１、２２…画像、３０…金具、１００…プロジェクター（画像表示装置）、１０６…制御装置、１１０…デジタル信号入力部、１２０…記憶部、１２２…画像データ、１２４、１２５…設定データ、１２６…ユーザー設定データ、１３０…調整部、１４０…画像生成部、１５０…検出部、１６０…情報入力部、１７０…制御部、１８０…電源部、１９０…投写部（表示部）、２００…ＤＶＤプレーヤー、３００、３０１…ＨＤＭＩケーブル（デジタル信号ケーブル）、４００、４０１…設定画像、４１０…トップメニュー画像、４２０…サブメニュー画像、４３０…操作ガイド画像、４４０…イコライザー設定画面、９１０、９１１…ＨＤＭＩ端子、９１２…セレクター、９１３、９１４…音声入力端子、９１５…Ｓ−ビデオ入力端子、９１６…ビデオ入力端子、９１７…ミニＤ−Ｓｕｂ１５ｐｉｎ端子、９２０…ＲＡＭ、９２２…フラッシュＲＯＭ、９３０…受信回路、９３２…イコライザー回路、９３４…サンプリング回路、９３６…デコーダー回路、９４０…画像処理回路、９６０…受信ユニット、９６２…操作パネル、９７０…ＣＰＵ、９８０…電源、９９０…ランプ駆動回路、９９１…ランプ、９９２…照明光学系、９９３…液晶駆動回路、９９４…液晶ライトバルブ、９９５…投写レンズ。
【図１】
0005768383.tif 000002
【図２】
0005768383.tif 000003
【図３】
0005768383.tif 000004
【図４】
0005768383.tif 000005
【図５】
0005768383.tif 000006
【図６】
0005768383.tif 000007
【図７】
0005768383.tif 000008
【図８】
0005768383.tif 000009